(57)【要約】      （修正有）【課題】ハンドホール本体へのケーブル挿通管の取付けが容易で熟練技術も不要であり、短時間でケーブルの引き込み作業を行うことが可能で、防水性に優れているのでケーブルのショート事故、発錆や腐食を確実に防止することができるハンドホールのケーブル支持構造を提供する。【解決手段】ハンドホール本体１の壁部３に形成した挿嵌穴に外面側からケーブル挿通管８を螺入して挿装する。壁部３の内面側からケーブルマウス９をケーブル挿通管８の先端側に螺合しフランジ９Ｃにケーブル挿通管８の先端を密接させる。ケーブル挿通管８に螺嵌してあるロック管１１を螺回してケーブルマウス９のフランジ９Ｃと共に壁部３に圧接させることにより、ケーブル挿通管８をハンドホール本体１に挿着する。【選択図】図５
0003168698.tif 000002
【実用新案登録請求の範囲】
【請求項１】
底部と壁部とからなり、該壁部にケーブルを挿通するハンドホールにおいて、ハンドホール本体のコンクリート成型時に前記壁部に形成する挿嵌穴に、内周に雌ねじ部、外周に雄ねじ部を形成したケーブル挿通管を前記壁部の外面側から挿入し、外周に雄ねじ部を形成し、後端側にフランジを形成したケーブルマウスを前記壁部の内面側から該挿嵌穴に挿入し、該雄ねじ部と前記ケーブル挿通管の雌ねじ部を螺合してケーブル挿通管の先端を前記フランジに密接させ、かつ前記ケーブル挿通管に螺嵌してあるロック管を前進させて該ロック管の先端面及び前記ケーブルマウスのフランジを前記壁部に圧接させてなるハンドホールのケーブル支持構造。
【請求項２】
前記ハンドホール本体の挿嵌穴は、その内面に前記ケーブル挿通管の雄ねじ部と螺合する雌ねじ部を形成してあることを特徴とする請求項１記載のハンドホールのケーブル支持構造。
【請求項３】
前記ケーブルマウスは、前記壁部内面との当接面に防水パッキンを設けてあることを特徴とする請求項１記載のハンドホールのケーブル支持構造。
【請求項４】
前記ロック管は、前記壁部外面との当接面に防水パッキンを設けてあることを特徴とする請求項１記載のハンドホールのケーブル支持構造。
【請求項５】
前記挿嵌穴と前記ケーブル挿通管との空隙は、充填材により封止してあることを特徴とする請求項１記載のハンドホールのケーブル支持構造。
【請求項６】
前記ケーブル挿通管を所望の長さに裁断することにより鞘管とし、該鞘管にケーブル支持管を挿入することを特徴とする請求項１記載のハンドホールのケーブル支持構造。
【考案の詳細な説明】
【技術分野】
【０００１】
本考案は、地中に敷設する通信用或いは送電用ケーブルを分岐するために地中に設置するハンドホールのケーブル支持構造に関する。
【背景技術】
【０００２】
地中に敷設する通信用或いは送電用ケーブルを地中で分岐する場合は、地中に埋設するハンドホールにケーブルを挿通し、内部で分岐させて雨水や塵埃から保護することが行われている。そこで、地中に浸透する雨水がハンドホール内に浸透するのを確実に防止することが必要である。
【０００３】
そこで、接続用硬質合成樹脂管１に予め螺挿し、外周に接着剤４を付着したベルマウス螺管２をハンドホールＨの接続用穴ｈに外側から差込んで鍔部２ｃをハンドホールＨの外側壁に突き当て、外周に接着剤を付着したクランプ螺管３をハンドホールＨの内側から合成樹脂管１に螺挿し、鍔部３ａがハンドホールＨの内側壁に突き当てて固定する構成からなるハンドホールにおける管路接続装置が提案されている（特許文献１）。また、壁部に現場で削孔機によって削孔することも行われているが、極めて能率が悪い、仕上がりが雑であるといった幾多の欠点がある。
【先行技術文献】
【特許文献】
【０００４】
【特許文献１】特開２００２−１１８９１９公報
【考案の概要】
【考案が解決しようとする課題】
【０００５】
しかし、特許文献１に示す技術は、第一に、ハンドホールＨの接続用穴ｈとベルマウス螺管２の外周との隙間、及びベルマウス螺管２と合成樹脂管１との隙間の２箇所の隙間が形成される構成からなり、接着剤４、５を介在させるとしても隙間を完全に封止するためには作業手間も時間も要するという問題がある。第二に、ハンドホールＨの内側からクランプ裸管３を合成樹脂管１に螺挿するが、ハンドホールＨ内は複数本のケーブルが交差した状態にあるため、クランプ螺管３を螺挿する作業を円滑に効率よく行うことは困難であるという欠点がある。第三に、クランプ螺管３を回転してベルマウス螺管２をハンドホールＨの壁に密着させるためにはクランプ螺管３に締め付け方向に大きなトルクを掛ける必要があるが、実施の形態の形状ではトルクを掛けることは極めて困難であるし、他の手段も開示されていないという欠点がある。
【０００６】
本考案は上述した従来技術の欠点や問題点に鑑みなされたもので、ハンドホール本体へのケーブル挿通管の取付けが容易で熟練技術も不要であり、短時間でケーブルの引き込み作業を行うことが可能であるし、防水性に優れているのでケーブルのショート事故、発錆や腐食を確実に防止することができるハンドホールのケーブル支持構造を提供することを目的とする。
【課題を解決するための手段】
【０００７】
上述した課題を解決するために構成した本考案の手段は、底部と壁部とからなり、該壁部にケーブルを挿通するハンドホールにおいて、ハンドホール本体のコンクリート成型時に前記壁部に形成する挿嵌穴に、内周に雌ねじ部、外周に雄ねじ部を形成したケーブル挿通管を前記壁部の外面側から挿入し、外周に雄ねじ部を形成し、後端側にフランジを形成したケーブルマウスを前記壁部の内面側から該挿嵌穴に挿入し、該雄ねじ部と前記ケーブル挿通管の雌ねじ部を螺合してケーブル挿通管の先端を前記フランジに密接させ、かつ前記ケーブル挿通管に螺嵌してあるロック管を前進させて該ロック管の先端面及び前記ケーブルマウスのフランジを前記壁部に圧接させる構成からなる。
【０００８】
そして、前記ハンドホール本体の挿嵌穴は、その内面に前記ケーブル挿通管の雄ねじ部と螺合する雌ねじ部を形成するとよい。
【０００９】
また、前記ケーブルマウスは、前記壁部内面との当接面に防水パッキンを設けるとよい。
【００１０】
更に、前記ロック管は、前記壁部外面との当接面に防水パッキンを設けるとよい。
【００１１】
また、前記挿嵌穴と前記ケーブル挿通管との空隙は、充填材により封止するとよい。
【００１２】
また、前記ケーブル挿通管を所望の長さに裁断することにより鞘管とし、該鞘管にケーブル支持管を挿入する構成にしてもよい。
【考案の効果】
【００１３】
本考案は上述の如く構成したから、下記の諸効果を奏する。
（１）ハンドホール本体の壁部に形成した挿嵌穴に外面側からケーブル挿通管、内側からケーブルマウスを挿入して螺合し、ケーブル挿通管の先端をフランジに密接させ、ケーブル挿通管に螺嵌してあるロック管を前進させてロック管の先端面及びケーブルマウスのフランジを壁部に圧接させる構成にしたから、ケーブル挿通管の取付作業をハンドホール本体の外面側から、回転動作だけで容易に短時間に行うことができる。
（２）ハンドホール本体の挿嵌穴の内面にケーブル挿通管が螺合する雌ねじ部を形成したから、地震等の外力特に引抜き方向の力が働いてもケーブル挿通管がハンドホール本体から抜け出る事態を確実に防止できるし、防水性にも優れている。
（３）ケーブル挿通管、ケーブルマウス及びロック管は回転動作だけで互いに連結し、ハンドホール本体に締結できるから、熟練した技術が不要であるし、接着剤を用いないので工事を短時間で行うことができる。
（４）ケーブル挿通管の先端をケーブルマウスのフランジに密接させ、かつケーブルマウスのフランジ及びロック管の先端面はハンドホール本体に圧接させる構成にしたから、極めて高い防水性を有している。
（５）ケーブルマウスは壁部内面との当接面に防水パッキンを設けたから、地中の浸透水が挿嵌穴からハンドホール内に浸入する事態を確実に防止することができる。
（６）ロック管は壁部外面との当接面に防水パッキンを設けたから、地中の浸透水が挿嵌穴に浸入する事態を確実に防止できる。
（７）挿嵌穴とケーブル挿通管との空隙は充填材により封止するから、地中に浸透した雨水、融雪水がハンドホール本体内に浸入してケーブルのショート、発錆、腐食等が起きる事態を確実に防止できる。
（８）ケーブル挿通管を所望の長さに裁断することにより鞘管とし、鞘管にケーブル支持管を挿入して連結することにより、地震等による地盤の大きな変動によってハンドホールが上下、前後、左右のいずれかの方向に大きく変動した場合でも、ケーブル支持管が鞘管から抜け出る事態を防止できる。
【図面の簡単な説明】
【００１４】
【図１】図１乃至図６は本考案の第１の実施の形態に係り、図１はハンドホールのケーブル支持構造を分解して示す断面図である。
【図２】ハンドホール本体の外側と内側からケーブル挿通管とケーブルマウスを螺挿した状態の説明図である。
【図３】ロック管の半断面図である。
【図４】ハンドホール本体の挿嵌穴に充填剤を注入する説明図である。
【図５】ハンドホール本体にケーブル挿通管を取着した状態の説明図である。
【図６】ハンドホール本体に複数本のケーブル挿通管を挿着した説明図である。
【図７】図７及び図８は第２の実施の形態に係り、図７はハンドホールのケーブル支持構造を分解して示す断面図である。
【図８】ハンドホール本体にケーブル挿通管を取着した状態の説明図である。
【図９】第３の実施の形態に係るハンドホールのケーブル支持構造を示す部分断面図である。
【考案を実施するための形態】
【００１５】
以下、本考案の実施の形態を図面に基づき詳述する。図１乃至図６は第１の実施形態を示す。図１において、１はハンドホールを構成するコンクリート製のハンドホール本体で、該ハンドホール本体１は四角形の底部２と、該底部２の４辺から起立する４面の壁部３乃至６とによって上方が開放した桝状に成型してあり、上方開口は図示しない蓋体で施蓋するようになっている。
【００１６】
７は前記ハンドホール本体１の一以上の壁部３乃至６に形成した貫通穴からなる挿嵌穴を示す。該挿嵌穴７はハンドホール本体１の成型時に型枠に螺旋状の雄型を設けることで内面は雌ねじ部７Ａに形成してある。なお、挿嵌穴７は壁部３乃至６の各々に複数個形成してもよいものである。
【００１７】
８はハンドホール本体１に挿通する１本以上の通信用或いは送電用ケーブルを挿通した状態で支持するための合成樹脂製のケーブル挿通管で、該ケーブル挿通管８は内面に螺旋状溝からなる雌ねじ部８Ａが形成してあり、外面に螺旋状突条からなる雄ねじ部８Ｂが形成してある。このような構成からなるケーブル挿通管８は、ハンドホール本体１に対して壁部３の外面３Ａ側から挿入して装着するものである。
【００１８】
９は前記ケーブル挿通管８と螺嵌する合成樹脂製のケーブルマウスで、該ケーブルマウス（ベルマウスとも称されている。）９はケーブル挿通管８内に嵌入する筒部９Ａと、該筒部９Ａの外面に形成した螺旋状突条からなる雄ねじ部９Ｂと、筒部９Ａの一側基端に形成したフランジ９Ｃとからなっている。
【００１９】
１０は該フランジ９Ｃの内側面に貼着した内側防水パッキンで、該内側防水パッキン１０は前記筒部９Ａに嵌合する内径の挿嵌穴を形成した平板の円環状をなしており、例えばゴム、軟質合成樹脂材、フェルト等の不織布などを適宜選択して成形したものからなる。
【００２０】
更に、１１はケーブル挿通管８に外嵌したロック管を示す。該ロック管１１は円筒からなる管本体１１Ａと、該管本体１１Ａの内面に形成した螺旋状溝からなる雌ねじ部１１Ｂと、管本体１１Ａより若干大径で、管本体１１Ａの先端に形成した円板状の当接板１１Ｃと、当接板１１Ｃから管本体１１Ａの外面に周方向に離間して形成した軸方向長さを有する複数の指掛け突起１１Ｄ、１１Ｄ、・・とから構成してある。
【００２１】
１２は前記当接板１１Ｃの外面に貼着した外側防水パッキンを示す。該外側防水パッキン１２は前記内側防水パッキン９と同様の素材によって中央が開口した平板の円環状に形成してあるが、内側防水パッキン９の略２倍の厚さにすることにより、ハンドホール本体１の外側からの雨水の浸透を確実に防止するようにしてある。
【００２２】
本実施の形態は上述の構成からなるが、次にその組み付け手順について説明する。ハンドホール本体１を工場でコンクリート成型する際に、螺旋状突条を形成した雄型を型枠に設け、雌ねじ部７Ａを有する挿嵌穴７を壁部３乃至６の適宜に形成する。このハンドホール本体１を地中に設置したら、挿嵌穴７にケーブル挿通管８をハンドホール本体１の外側から矢示イ方向に螺入し、内側からケーブルマウス９を矢示ロ方向に挿入してケーブル挿嵌管８の先端８Ｃ側と螺合し、当該先端８Ｃをケーブルマウス９のフランジ９Ｃに内側防水パッキン１０を介して強固に密接させる（図２参照）。
【００２３】
次に、ケーブル挿通管８を逆回転させ、ケーブルマウス９のフランジ９Ｃに貼着してある内側防水パッキン１０を壁部３の内面３Ｂに緊密に当接させる。しかる後、図４に示すように、ケーブル挿通管８と挿嵌穴７との隙間に充填剤Ａを注入充填した後、ロック管１１を進出方向に回転させて壁部３の外面３Ａに当接板１１に貼着してある外側防水パッキン１２を緊密に当接させる。この際、ロック管１１は指掛け突起１１Ｄ、指掛け突起１１Ｄ、・・に指を掛けて回転させることにより、ケーブルマウス９と共に一層強固に壁部３に圧接させて防水性を高めることができる。
【００２４】
かくして、挿嵌穴７とケーブル挿通管８との隙間は充填材Ａにより封止し、ケーブルマウス９とハンドホール本体１との当接部位には内側防水パッキン１０を設け、ロック管１１とハンドホール１との当接部位には外側防水パッキン１２を設けることにより、ハンドホール本体１内に雨水や融雪水が浸入する事態を確実に防止し、ハンドホール内でのケーブルの損傷を防止し、また信或いは送電障害の事態が発生するのを防止できる。
【００２５】
図６はハンドホール本体１に複数本のケーブル挿通管８を挿着した状態を示す。ハンドホール本体１は工場で予め複数個の挿嵌穴７を形成しておき、ケーブルの敷設に使用しない挿嵌穴７は現場で蓋体１３を嵌合して閉塞することで、各現場での要請に速やかに対応することができる。
【００２６】
図７及び図８は第２の実施の形態を示す。なお、本実施の形態及び後述する他の実施の形態において第１の実施の形態の構成要素と同一の構成要素には同一の符号を付して援用し、その説明を省略する。本実施の形態の特徴は、ハンドホール本体１の壁部３（４〜６）に形成した挿嵌穴２１の内面を平坦面２１Ａにしたことにある。挿嵌穴２１の内面を平坦面２１Ａにすることで、ケーブル挿通管８を回転させることなくストレートに挿入することができるし、充填材Ａを円滑に充填できるから、作業時間を短縮することができる。また、ロック管１１による軸方向の締め付け力をケーブル挿通管８及びカーブルマウス９に直に働かすことができる。
【００２７】
図９は第３の実施の形態に係り、その特徴とするところはケーブル挿通管を所望の長さＬ、例えば２〜３ｍの長さに裁断することにより鞘管２５とし、若干小径のケーブル支持管２６を該鞘管２５の全長にわたって挿入して連結することにある。鞘管２５はケーブル挿通管８を裁断したものであるから、内面に螺旋状溝からなる雌ねじ部２５Ａが形成してあり、外面に螺旋状突条からなる雄ねじ部２５Ｂが形成してある。
【００２８】
この構成によれば、２〜３ｍの鞘管２５内にケーブル支持管２６を挿入して支持させることで余長部分があるから、地震、洪水等による地盤の大きな変動によってハンドホール本体１が上下、前後、左右の方向に大きく変動した場合でも、ケーブル支持管２６が鞘管２５から抜け出ることがないから送電用或いは通信用ケーブルの損傷、断線を防止することができる。
【００２９】
しかも、鞘管２５はケーブル挿通管を適宜の長さに裁断し、第１の実施の形態と同様にケーブルマウス９とロック管１１でハンドホール本体１に締着してあるから外力に対する強度性に優れているし、ケーブル支持管２６は鞘管２５に螺入しないで挿入するだけであるから作業にも面倒なく地震等に対応することができる。
【符号の説明】
【００３０】
１      ハンドホール本体
３〜６  壁部
７、２１  挿嵌穴
８      ケーブル挿通管
９      ケーブルマウス
１０    内側防水パッキン
１１    ロック管
１２    外側防水パッキン
２５    鞘管
２６    ケーブル支持管
Ａ      充填材
【図１】
0003168698.tif 000003
【図２】
0003168698.tif 000004
【図３】
0003168698.tif 000005
【図４】
0003168698.tif 000006
【図５】
0003168698.tif 000007
【図６】
0003168698.tif 000008
【図７】
0003168698.tif 000009
【図８】
0003168698.tif 000010
【図９】
0003168698.tif 000011